(57)【要約】 【課題】  自動電源遮断装置を作動させるためのセンサーや操作スイッチが不要なコンパクトな家電製品用自動電源遮断装置を提供すること。【解決手段】  家電製品２０への給電が開始されると同時に、タイマーＩＣ１６には電源トランス１４と直流電圧生成回路１５を介して駆動電圧が供給され、タイマー回路１７は計数を開始する。パワースイッチ９が切り忘れられた場合、タイマー回路１７は可変抵抗器ＲとコンデンサＣのＣＲ時定数で定まる設定時間が経過したときに出力信号を発生し、リレー駆動回路１８を作動させて電磁リレー１３の励磁コイルに励磁電流を流し、常閉接点１３ａを開成させ、家電製品２０への給電を自動的に遮断する。【選択図】    図１
2007166679.tif 000002
【特許請求の範囲】
【請求項１】
屋内配線から家電製品などの負荷に電力を供給する給電回路に挿入されて、前記家電製品のパワースイッチが切り忘れられたときに前記給電回路を自動的にオフにする家電製品用自動電源遮断装置であって、一対の屋内配線側電源端子並びに一対の負荷側電源端子と、常閉接点を有する電磁リレーと、タイマーＩＣと抵抗器及びコンデンサを備えたタイマー回路と、前記タイマー回路の出力信号に基づいて前記電磁リレーを付勢し前記常閉接点を開成させるリレー駆動回路と、前記タイマー回路とリレー駆動回路と電磁リレーに駆動電圧を供給する直流電圧生成回路と、前記直流電圧生成回路に前記給電回路から交流電圧を供給する電源トランスとで構成され、前記電源トランスの一次側巻線は前記一対の屋内配線側電源端子に接続され、前記電磁リレーの常閉接点は前記一対の屋内配線側電源端子のいずれか一方と前記一対の負荷側電源端子のいずれか一方との間に挿入されていること、更に、前記タイマー回路は前記パワースイッチがオンになると同時に付勢されて計数を開始し前記抵抗器とコンデンサのＣＲ時定数で定まる時間が経過したときに前記出力信号を発生するものであることを特徴とする家電製品用自動電源遮断装置。
【請求項２】
前記抵抗器は可変抵抗器であることを特徴とする請求項１に記載の家電製品用自動電源遮断装置。
【請求項３】
前記家電製品は引掛シーリング型照明器具であって、前記照明器具の引掛シーリングのキャップ側と天井等に固定された引掛シーリングボディとの間に挿入された請求項１に記載の家電製品用自動電源遮断装置。
【請求項４】
前記家電製品はアイロンであって、屋内配線側のコンセントと前記アイロンのプラグとの間に挿入された請求項１に記載の家電製品用自動電源遮断装置。
【発明の詳細な説明】
【技術分野】
【０００１】
本発明は、屋内配線から家電製品などの負荷に電力を供給する給電回路に接続されて、前記家電製品のパワースイッチが切り忘れられたときに、前記給電回路を自動的に遮断する家電製品用自動電源遮断装置に関する。
【背景技術】
【０００２】
日常生活で短時間だけ使用される家電製品のパワースイッチを切り忘れたりしたことがない人は皆無であろう。前記家電製品がトイレの照明器具であれば無駄な電力消費だけで済むが、ヘアドライヤーやアイロンであれば、無駄な電力消費だけでなく火災発生の危険性もある。
【０００３】
近年、地球温暖化をこれ以上加速させないために、テレビやビデオデッキなどの家電製品については待機電力の削減が求められ、不必要な室内照明は積極的に消すことが求められている。このような社会的な要求に応えて、従来から様々な家電製品用自動電源遮断装置が開発されてきた。
【０００４】
特開２０００−１５２４９９号公報（特許文献１）には、家電製品の電源プラグに接続するためのコンセントを供え、前記コンセントへの電源をリレー接点により開閉し、押しボタンスイッチとリレーによる自己保持回路によって前記リレー接点を動作させ保持するとともに、前記コンセントへの電流を変流器によって電気信号に変換し、前記電気信号から家電製品の待機電力使用中を検知し、その検知の状態が設定時間続いた後、前記自己保持回路を解除するとともに前記コンセントへの電源を自動的に遮断する回路から構成された家電製品用自動電源遮断装置が開示されている。しかしながら、この家電製品用自動電源遮断装置は、待機電力を使用しない家電製品には適用できないものである。
【０００５】
特開平１０−４２５７０号公報（特許文献２）には、ＤＣ１２Ｖ及びＤＣ２４Ｖ等の直流電源を入力とし、ＡＣ１００Ｖに変換するＤＣ−ＡＣインバーターにおいて、一定時間経過後の、入力を遮断するオートパワーオフ装置が開示されている。このパワーオートオフ装置は、汎用ＩＣと抵抗Ｒ１及びコンデンサＣ１を含むタイマー回路と、パワースイッチと、オートパワースイッチとを備えて構成されたものである。そして、前記パワースイッチがオンされると前記タイマー回路には電源電圧が供給される。この状態で前記オートパワースイッチをオンにすると、前記タイマーは計数を開始し、抵抗Ｒ１及びコンデンサＣ１の時定数で定まる時間が経過した時に出力信号を発生させる。この出力信号に基づいて、ＤＣ−ＡＣインバーターはその機能を停止する。しかしながら、このオートパワーオフ装置は、パワースイッチをオンにし、更にオートパワースイッチをオンにしなければタイマー回路が計数を開始しないものであるから、利用者にとって操作がわずらわしいという問題がある。そして、このオートパワーオフ装置は家電製品用家電製品用自動電源遮断装置としては利用できないものである。
【０００６】
実用新案登録第３００８５３４号公報（特許文献３）には、コンセント付洗面化粧台のコンセントにヘヤー・ドライヤーのコンセントを差し込み使用したとき、スイッチを切り忘れた場合でもヘヤー・ドライヤーの給電を自動的に遮断する自動電源遮断装置を備えたヘヤー・ドライヤー安全装置付洗面化粧台が開示されている。そして、前記自動電源遮断装置は人体検知センサーの信号に基づいて作動するものであるから、前記人体検知センサーのコストと設置工事費を必要し、従って自動電源遮断装置の価格が高くなるという問題がある。
【０００７】
実開昭６３−３７１９９号公報（特許文献４）には、タイマーと、電源投入後放置したときに該タイマーを起動させるスイッチと、該タイマーにより一定時間経過後に電源を切断する自動電源切断機能を有するアイロンが開示されている。しかしながら、前記電源投入後放置したときに該タイマーを起動させるスイッチを低コストで信頼性があり且つコンパクトなものとして実現することは極めて困難であり、従って、このアイロンは実用化されていないようである。
【０００８】
特開２００１−１９６９１１号公報（特許文献５）には、換気扇及び照明灯等の負荷をオン動作させ所定時間経過後、負荷を自動的にオフさせるタイマースイッチが開示されている。そして、このタイマースイッチは、交流電源と負荷との間に配置された負荷制御用スイッチング手段と、前記負荷制御用スイッチング手段を立ち上げるための操作スイッチを有する立ち上げ用電源手段と、前記立ち上げ用電源手段の操作スイッチの状態を確認するフリップフロップ回路を用いた操作スイッチ確認手段と、前記操作確認手段をオン状態とさせるタイマー手段とで構成されている。このタイマースイッチにおいては、トイレルームやバスルームの照明灯と換気扇等の異なる負荷を同一の電子スイッチで制御可能で、照明灯は各ルームを使用後直ちに消灯させ、換気扇のみを所定時間駆動させることができる非常に便利なものである。しかしながら、装置は複雑で高価格である。しかも、利用者は前記操作スイッチを操作しなければならないという面倒さもある。従って、このタイマースイッチは日常生活で短時間だけ使用される家電製品用の自動電源遮断装置には適さないものである。
【０００９】
上述の如く、従来の自動電源遮断装置はパワースイッチの切り忘れを検出するセンサーを必要とするもの、または自動電源遮断装置を作動させるための操作スイッチを備えたもののいずれかである。このため、従来の自動電源遮断装置は値段が高くなったり、装置が複雑でコンパクト化に適さないものであったり、或いは取り扱いが面倒であったりするものである。従って、従来の自動電源遮断装置は日常生活で短時間だけ使用される家電製品には適用し難いものである。
【特許文献１】特開２０００−１５２４９９号公報
【特許文献２】特開平１０−４２５７０号公報
【特許文献３】実用新案登録第３００８５３４号公報
【特許文献４】実開昭６３−３７１９９号公報
【特許文献５】特開２００１−１９６９１１号公報
【発明の開示】
【発明が解決しようとする課題】
【００１０】
本発明が解決しようとする課題は、自動電源遮断装置を作動させるためのセンサーや操作スイッチが不要なコンパクトな家電製品用自動電源遮断装置を提供することである。
【課題を解決するための手段】
【００１１】
上記課題を解決するために、屋内配線から家電製品などの負荷に電力を供給する給電回路に接続されて、前記家電製品のパワースイッチが切り忘れられたときに前記給電回路を自動的に遮断する家電製品用自動電源遮断装置を、常閉接点を有する電磁リレーと、タイマーＩＣと抵抗器及びコンデンサを備えたタイマー回路とを備えて構成し、前記タイマー回路を前記パワースイッチがオンになると同時に付勢されて計数を開始させるようにし、且つ、前記可変抵抗器とコンデンサのＣＲ時定数で定まる時間が経過したときに前記出力信号を発生させて前記電磁リレーを付勢し前記常閉接点を開成させるようにした。
【発明の効果】
【００１２】
本発明に係る家電製品用自動電源遮断装置は、これを作動させるためのセンサーや操作スイッチを必要としないコンパクトで取り扱い容易な装置である。従って、本発明により、電源コードのプラグ・コンセントと同程度にコンパクトで、しかも低価格の家電製品用自動電源遮断装置が提供された。また、本発明により、日常生活で短時間だけ使用される家電製品において、パワースイッチを切り忘れがあっても無駄な電力消費が大幅に削減されるようになった。
【発明を実施するための最良の形態】
【００１３】
本発明に係る家電製品用自動電源遮断装置は、屋内配線から家電製品などの負荷に電力を供給する給電回路に接続されて、前記家電製品のパワースイッチが切り忘れられたときに前記給電回路を自動的に遮断する家電製品用自動電源遮断装置であって、常閉接点を有する電磁リレーと、タイマーＩＣと抵抗器及びコンデンサを備えたタイマー回路と、前記タイマー回路の出力信号に基づいて前記電磁リレーを付勢し前記常閉接点を開成させるリレー駆動回路と、前記タイマー回路と前記電磁リレーの付勢電源として機能する直流電圧生成回路と、前記直流電圧生成回路に前記給電回路から交流電圧を供給する電源トランスとで構成されている。そして、前記電源トランスの一次側巻線は前記家電製品用自動電源遮断装置の一対の屋内配線側電源端子に接続され、前記電磁リレーの常閉接点は前記一対の屋内配線側電源端子のいずれか一方と前記家電製品用自動電源遮断装置の一対の負荷側電源端子のいずれか一方との間に挿入されている。また、前記タイマー回路は、前記パワースイッチがオンになると同時に付勢されて計数を開始し、前記可変抵抗器とコンデンサのＣＲ時定数で定まる時間が経過したときに前記出力信号を発生させる。
【実施例１】
【００１４】
本発明の実施例１の家電製品用自動電源遮断装置１０は、図１に示す如く、一対の屋内配線１及び２から家電製品２０への給電回路に挿入されて使用されるもので、前記給電回路の屋内配線側プラグ・コンセント５及び６と負荷側プラグ・コンセント７及び８の間に挿入されている。家電製品２０は負荷側プラグ・コンセント７及び８に接続された照明器具であり、そのパワースイッチ９は、屋内配線１と屋内配線側プラグ・コンセント５との間に配置されている。屋内配線側プラグ・コンセント５及び６と負荷側プラグ・コンセント７及び８は、それぞれ一対の屋内配線側電源端子と一対の負荷側電源端子である。
【００１５】
家電製品用自動電源遮断装置１０は、以下に詳細に述べる通り、利用者がワースイッチ９を切り忘れた場合には前記給電回路を自動的にオフにするものである。即ち、家電製品用自動電源遮断装置１０は、常閉接点１３ａを有する電磁リレー１３と、可変抵抗器ＲとコンデンサＣとタイマーＩＣ１６を備えたタイマー回路１７と、タイマー回路１７の出力信号に基づいて電磁リレー１３を付勢して常閉接点１３ａを開成させるリレー駆動回路１８と、タイマー回路１７と電磁リレー１３の付勢電源として機能する直流電圧生成回路１５と、直流電圧生成回路１５に前記給電回路から交流電圧を供給する電源トランス１４とで構成されている。
【００１６】
電源トランス１４の一次側巻線は一対の装置内配線３及び４に接続されている。電源トランス１４の二次側巻線には直流電圧生成回路１５の一対の入力端子が接続されている。直流電圧生成回路１５は周知の整流回路と定電圧回路とで構成されている。タイマー回路１７は、タイマーＩＣ１６と可変抵抗器ＲとコンデンサＣからなるＣＲ回路とで構成されている。タイマーＩＣ１６の電源端子Ｖｃｃには、直流電圧生成回路１５の出力端子が接続されている。タイマーＩＣ１６の所定の一対の端子には可変抵抗器ＲとコンデンサＣからなるＣＲ回路が接続されている。タイマーＩＣ１６の出力端子ＯＵＴには、リレー駆動回路１８の入力端子が接続されている。リレー駆動回路１８の出力端子は電磁リレー１３の励磁コイルの一端が接続されている。励磁コイルの他端はコモンに接続されている。
【００１７】
上述の如く構成された家電製品用自動電源遮断装置１０において、パワースイッチ９がオンにされると、屋内配線１からパワースイッチ９、屋内配線側プラグ・コンセント５、装置内配線３、負荷側プラグ・コンセント７、家電製品２０、負荷側プラグ・コンセント８、電磁リレー１３の常閉接点１３ａが挿入された装置内配線４、及び屋内配線側プラグ・コンセント６を経て屋内配線２に至る給電回路が形成され、家電製品２０への給電が開始される。
【００１８】
家電製品２０への給電が開始されると同時に、タイマーＩＣ１６の電源端子Ｖｃｃには電源トランス１４と直流電圧生成回路１５を介して駆動電圧が供給される。すると、タイマー回路１７は計数を開始する。そして、タイマー回路１７は可変抵抗器ＲとコンデンサＣのＣＲ時定数で定まる設定時間が経過したときに出力信号を発生し、リレー駆動回路１８を作動させて電磁リレー１３の励磁コイルに励磁電流を流し、常閉接点１３ａを開成させる。常閉接点１３ａが開成すると、上述の家電製品２０への給電回路が開放される。
【００１９】
即ち、パワースイッチ９が切り忘れられた場合、タイマー回路１７は前記設定時間が経過したときに出力信号を発生し、リレー駆動回路１８を介して電磁リレーを駆動し、常閉接点１３ａを開成させ、これによって家電製品２０の電源が自動的に遮断されるのである。但し、前記設定時間が経過する前にパワースイッチ９が操作されて前記給電回路がオフになれば、家電製品用自動電源遮断装置１０は上述の動作を行わないで、リセットされる。
【００２０】
家電製品２０が引掛シーリング型照明器具である場合、家電製品用自動電源遮断装置１０は引掛シーリングのキャップ側と天井等に固定された引掛シーリングボディとの間に挿入される。この場合、家電製品用自動電源遮断装置１０の屋内配線側プラグ・コンセント５及び６は引掛シーリングの対応する形状に構成されることは当然である。
【００２１】
ところで、タイマー回路１７はタイマーＩＣ１６と可変抵抗器ＲとコンデンサＣからなるＣＲ回路とで構成されているが、これらを一体の集積回路で構成することもできる。可変抵抗器Ｒは家電製品用自動電源遮断装置１０の図示しないケースに取付けられて、利用者が必要に応じて抵抗値を変更できるようになっているが、これを固定抵抗器とした家電製品用自動電源遮断装置１０を構成してもよい。この場合、抵抗値の異なる数種類の設定時間の家電製品用自動電源遮断装置１０を提供することが望ましい。
【実施例２】
【００２２】
本発明の実施例２の家電製品用自動電源遮断装置１０は、図２に示す如く、一対の屋内配線１及び２から家電製品２０への給電回路に挿入されて使用されるもので、前記給電回路の屋内配線側プラグ・コンセント５及び６と負荷側プラグ・コンセント７及び８の間に挿入されている。家電製品２０は負荷側プラグ・コンセント７及び８に接続されたアイロンやヘアドライヤー等であり、そのパワースイッチ９は、負荷側プラグ・コンセント７と負荷であるアイロンの電源端子の一方との間に挿入されている。
【００２３】
家電製品用自動電源遮断装置１０は、図１に示すものと同じである。従って、家電製品用自動電源遮断装置１０において、パワースイッチ９がオンにされると、屋内配線１から屋内配線側プラグ・コンセント５、装置内配線３、負荷側プラグ・コンセント７、パワースイッチ９、家電製品２０、負荷側プラグ・コンセント８、電磁リレー１３の常閉接点１３ａが挿入された装置内配線４、及び屋内配線側プラグ・コンセント６を経て屋内配線２に至る給電回路が形成され、家電製品２０への給電が開始される。
【００２４】
家電製品２０への給電が開始されると同時に、タイマーＩＣ１６の電源端子Ｖｃｃには電源トランス１４と直流電圧生成回路１５を介して駆動電圧が供給される。すると、タイマー回路１７は計数を開始する。そして、タイマー回路１７は可変抵抗器ＲとコンデンサＣのＣＲ時定数で定まる設定時間が経過したときに出力信号を発生し、リレー駆動回路１８を作動させて電磁リレー１３の励磁コイルに励磁電流を流し、常閉接点１３ａを開成させる。常閉接点１３ａが開成すると、上述の家電製品２０への給電回路が開放される。
【００２５】
即ち、タイマー回路１７は前記設定時間が経過したときに出力信号を発生し、リレー駆動回路１８を介して電磁リレーを駆動し、常閉接点１３ａを開成させ、これによって家電製品２０の電源が自動的に遮断されるのである。但し、前記設定時間が経過する前にパワースイッチ９が操作されて前記給電回路がオフになれば、家電製品用自動電源遮断装置１０は上述の動作を行わないで、リセットされる。
【００２６】
実施例２の家電製品用自動電源遮断装置１０をアイロン３０に適用した場合の模式的斜視図が図３である。即ち、図３において、家電製品用自動電源遮断装置１０はプラグ１０ａが端部に接続された延長コード１０ｂとコンセント１０ｄが端部に接続された延長コード１０ｃを有する。アイロン３０はプラグ３０ａが端部に接続された延長コード３０ｂを有する。パワースイッチ９は図示されていないが、アイロン３０に備えられている。
【００２７】
家電製品用自動電源遮断装置１０のプラグ１０ａを屋内配線に接続されている壁面取り付けコンセントに挿入し、アイロン３０のプラグ３０ａを家電製品用自動電源遮断装置１０のコンセント１０ｄに挿入し、そしてアイロン３０のパワースイッチをオンする。
【００２８】
すると、アイロン３０への給電が開始されると同時に、家電製品用自動電源遮断装置１０のタイマー回路は計数を開始する。もしもアイロンの利用者がパワースイッチを切り忘れた場合、前記タイマー回路は設定時間が経過したときに出力信号を発生し、リレー駆動回路を作動させて電磁リレーの常閉接点を開成させる。前記常閉接点が開成すると、アイロン３０への給電回路が開放される。このようにして、アイロンの電源は自動的に遮断され、無駄な電力消費が大幅に削減されるとともに、火災発生の予防も実現される。
【００２９】
なお、家電製品用自動電源遮断装置１０はプラグ１０ａが端部に接続された延長コード１０ｂとコンセント１０ｄが端部に接続された延長コード１０ｃを有するものとしたが、家電製品用自動電源遮断装置１０のケースにプラグとコンセントを直接設けるようにしてもよいことは勿論である。
【図面の簡単な説明】
【００３０】
【図１】本発明の実施例１の家電製品用自動電源遮断装置の回路図である。
【図２】本発明の実施例２の家電製品用自動電源遮断装置の回路図である。
【図３】本発明の家電製品用自動電源遮断装置をアイロンに使用した場合の模式的斜視図である。
【符号の説明】
【００３１】
１，２  屋内配線
３，４  装置内配線
５，６  屋内配線側プラグ・コンセント
７，８  負荷側プラグ・コンセント
９  パワースイッチ
１０  自動電源遮断装置
１０ａ  プラグ
１０ｂ，  １０ｃ  延長コード
１０ｄ  コンセント
１３  電磁リレー
１３ａ  常閉スイッチ
１４  電源トランス
１５  直流電圧生成回路
１６  タイマーＩＣ
１７  タイマー回路
１８  リレー付勢回路
２０  家電製品
３０  アイロン
３０ａ  プラグ
３０ｂ  延長コード
Ｃ  コンデンサ
Ｒ  抵抗器
【図１】
2007166679.tif 000003
【図２】
2007166679.tif 000004
【図３】
2007166679.tif 000005